(57)【特許請求の範囲】
【請求項１】
リーダーに掘削用モーターを昇降可能に設け、前記掘削用モーターによって、上端にスイベルを有する攪拌ロッドを回転して地盤の掘削・攪拌を行う掘削装置の、前記スイベルの供回り防止装置であって、
ローラーチェーンと、
前記ローラーチェーンの移動を拘束する、チェーン保持具と、からなり、
前記スイベルに前記ローラーチェーンを取り付けて垂下し、
前記垂下したローラーチェーンを、前記掘削用モーターに取り付けた前記チェーン保持具によって拘束することを特徴とする、
スイベルの供回り防止装置。
【請求項２】
請求項１に記載のスイベルの供回り防止装置において、前記スイベルに前記ローラーチェーンを取り付ける際に、前記ローラーチェーンのローラー軸方向と、前記攪拌ロッドの回転方向が一致するように取り付けることを特徴とする、スイベルの供回り防止装置。
【発明の詳細な説明】
【技術分野】
【０００１】
本発明は、地盤を掘削しながら地盤改良材を注入して杭基礎を構築する掘削装置の、スイベルの供回り防止装置に関するものである。
【背景技術】
【０００２】
従来、地盤を掘削しながら地盤改良材を注入して地盤内に杭基礎を構築する地盤改良工法が用いられている。
この際に用いられる掘削装置４は、リーダー５に沿って昇降可能に設けた掘削用モーター６により攪拌ロッド７を回転して、攪拌ロッド７下部に設けた掘削翼８により地盤を掘削・攪拌するものである。（図４（ａ））
そして、地盤改良材は、攪拌ロッド７の上端に設けたスイベル９にホース１０を取り付け、バッチャープラント１１からホース１０、スイベル９及び攪拌ロッド７内部を経由して、掘削翼８から地盤内に噴出し、地盤と共に攪拌される。
【０００３】
スイベル９は使用により劣化すると、攪拌ロッド７の回転に合わせて供回りをしてしまう。
ホース１０はスイベル９を介して攪拌ロッド７と連結するが、スイベル９が供回りすると、スイベル９に取り付けたホース１０が攪拌ロッド７に巻き付いてしまう。
このため、掘削用モーター６に取り付けたホース保持具１２によってホース１０を保持することで、ホース１０と共に、スイベル９の供回りを防止している。
【発明の概要】
【発明が解決しようとする課題】
【０００４】
より深い位置まで地盤改良を行う場合には、攪拌ロッド７を長くする必要がある。
攪拌ロッド７がリーダー５よりも長くなると、攪拌ロッド７上端のスイベル９と、掘削用モーター６のホース保持具１２との間隔が大きくなる。（図３（ｂ））
この間隔が大きくなりすぎると、ホース保持具１２よりも上方のホース１０の自由部分が長くなるため、スイベル７の供回りが生じ、ホース１０が攪拌ロッド７に巻き付き、バッチャープラント１１から送られる地盤改良材により、ホース１０がパンクしてしまう可能性がある。
そのため、このような場合には、ホース１０の最上部付近にロープ１３を係止し、人力によりロープ１３を牽引して、スイベル９の供回りを防止する必要がある。
【０００５】
本発明は、人力を必要とせず、スイベルの供回りを防ぐ、スイベルの供回り防止装置を提供することを目的とする。
【課題を解決するための手段】
【０００６】
上記目的を達成するためになされた本願の第１発明は、リーダーに掘削用モーターを昇降可能に設け、前記掘削用モーターによって、上端にスイベルを有する攪拌ロッドを回転して地盤の掘削・攪拌を行う掘削装置の、前記スイベルの供回り防止装置であって、ローラーチェーンと、前記ローラーチェーンの移動を拘束する、チェーン保持具と、からなり、前記スイベルに前記ローラーチェーンを取り付けて垂下し、前記垂下したローラーチェーンを、前記掘削用モーターに取り付けた前記チェーン保持具によって拘束することを特徴とする、スイベルの供回り防止装置を提供する。
本願の第２発明は、第１発明のスイベルの供回り防止装置において、前記スイベルに前記ローラーチェーンを取り付ける際に、前記ローラーチェーンのローラー軸方向と、前記攪拌ロッドの回転方向が一致するように取り付けることを特徴とする、スイベルの供回り防止装置を提供する。
【発明の効果】
【０００７】
本発明は、上記した課題を解決するための手段により、次のような効果の少なくとも一つを得ることができる。
＜１＞チェーンを拘束してスイベルの供回りを防止できるため、別途人手が不要となる。
＜２＞スイベルからチェーンを垂下し、それをチェーン保持具によって保持するだけであるため、特別な機構や構造が不要であり、故障することが少ない。
＜３＞チェーンのローラー軸方向への移動を拘束するだけで、スイベルの供回りを防止できるため、チェーン保持具を簡易な構造とすることができる。
【図面の簡単な説明】
【０００８】
【図１】本発明のスイベルの供回り防止装置を用いた掘削装置の説明図
【図２】チェーン保持具の説明図
【図３】その他実施例に係るスイベルの供回り防止装置を用いた掘削装置の説明図
【図４】従来の掘削装置の説明図
【発明を実施するための形態】
【０００９】
以下、図面を参照しながら本発明の実施の形態について説明する。
【実施例】
【００１０】
［１］本発明の構成
図１は、本発明にかかるスイベルの供回り防止装置１を用いた掘削装置４の説明図である。
掘削装置４は、リーダー５と、リーダー５に沿って昇降可能に設けた掘削用モーター６により攪拌ロッド７を回転して、攪拌ロッド７下部に設けた掘削翼８により地盤を掘削する。また、攪拌ロッド７の上端に設けたスイベル９にホース１０を取り付け、バッチャープラント１１から供給する地盤改良材を、ホース１０、スイベル９及び攪拌ロッド７内部と経由して、掘削翼８から地盤内に噴出し、地盤と共に攪拌して、地盤中に杭基礎を構築する。
本発明のスイベル供回り防止装置１は、スイベル９に取り付けたローラーチェーン２と、掘削用モーター６に取り付けてローラーチェーン２を保持するチェーン保持具３により構成する。
以下、本発明のスイベル供回り防止装置１の各構成部材について詳述する。
【００１１】
＜１＞ローラーチェーン
ローラーチェーン２は、ローラーや内リンク、外リンク等を組み合わせて構成した、従来知られている一般的なチェーンである。
ローラーチェーン２は、一端をスイベル９に取り付ける。（図２）
ローラーチェーン２は、ローラー２１の軸方向と、スイベル９を取り付けた攪拌ロッド７の回転方向が一致するように取り付ける。
取り付けたローラーチェーン２は、スイベル９から垂下する。
【００１２】
＜２＞チェーン保持具
チェーン保持具３は、掘削用モーター６に取り付けて、ローラーチェーン２を保持する部材である。
チェーン保持具３は内部に一組のスプロケット３１を有し、スプロケット３１によりローラーチェーン２を噛み込み、ローラーチェーン２のローラー軸方向の動きを拘束する。（図２ｂ）
スプロケット３１は、掘削用モーター６の昇降に合わせて回転するように構成し、常にローラーチェーン２を保持した状態でありながら、掘削用モーター６と攪拌ロッド７とが別々に上下動しても対応可能とする。
また、スプロケット３１を容易に回転可能とすることでも、掘削用モーター６と攪拌ロッド７とが別々に上下動しても対応可能となる。
【００１３】
［２］本発明の機能
＜３＞供回り防止
スイベル９は使用により劣化すると、攪拌ロッド７の回転に合わせて供回りをしようとしてしまう。
スイベル９が供回りしようとするときには、ローラーチェーン２は、ローラー２１の軸方向に移動しようとする。
しかし、ローラーチェーン２は、チェーン保持具３によって、ローラー２１の軸方向の動きが拘束されている。
このため、ローラーチェーン２を取り付けたスイベル９の回転も拘束され、スイベル９が供回りすることがなく、ホース１０が攪拌ロッド７に絡みついて破損することを防止できる。
また、供回り防止装置１の機構によって供回りを防止するため、人手による供回り防止作業が不要となる。
【００１４】
＜４＞供回り防止による作用
より深い位置まで地盤改良を行う場合、攪拌ロッド７が長くなり、リーダー５に設けた掘削用モーター６と、攪拌ロッド７上端のスイベル９との間隔が大きくなる。
しかし、スイベル９に取り付けたローラーチェーン２は伸長することなく、スイベル９と同じ動きをする。
このため、スイベル９とチェーン保持具３とが離れたとしても、チェーン保持具３によりローラーチェーン２を保持していれば、スイベル９が供回りすることがない。
このため、本発明の供回り防止装置１を用いることで、リーダーの下部に掘削用モーター６を配置した状態で、長尺の攪拌ロッド７を用いて掘削を行うことができる。
掘削用モーター６を低い位置に配置できるため、掘削装置４の重心が低くなり、作業中の掘削装置４の転倒事故を防止できる。
【００１５】
［その他実施例］
上記実施例において、チェーン保持具３は内部にスプロケット３１を設けたが、チェーン保持具３本体を、ローラーチェーン２の幅と略同幅であり、上下を開口してローラーチェーン２を挿通した箱体により構成してもよい。（図３）
そして、ローラーチェーン２は、ローラー２１の軸方向と、スイベル９を取り付けた攪拌ロッド７の回転方向が一致するように取り付ける。
このように構成すると、スイベル９が供回りしようとするときには、ローラーチェーン２は、ローラー２１の軸方向に移動しようとする。
しかし、ローラーチェーン２のローラー２１の軸方向への動きは、箱体であるチェーン保持具３の内側面で拘束されるため、ローラーチェーン２を取り付けたスイベル９の回転を拘束する。一方、ローラーチェーン２の長さ方向の移動は拘束されず、掘削用モーター６と、攪拌ロッド７との別々の上下動が可能となる。
また、スプロケット３１を設けないため、回転機構を有さず、使用時のメンテナンスが容易となる。
【符号の説明】
【００１６】
１      供回り防止装置
２      チェーン
２１    ローラー
３      チェーン保持具
３１    スプロケット
４      掘削装置
５      リーダー
６      掘削用モーター
７      攪拌ロッド
８      掘削翼
９      スイベル
１０    ホース
１１    バッチャープラント
１２    ホース保持具
１３    ロープ
【図１】
0005442499.tif 000002
【図２】
0005442499.tif 000003
【図３】
0005442499.tif 000004
【図４】
0005442499.tif 000005